(57)【要約】複数のマイクロフォンを含む通信デバイスが提供される。通信デバイスは、少なくとも２つのマイクロフォンを含む。通信デバイスはさらに、通知信号を発生するための側音フィードバック通知器を含む。側音フィードバック通知器は、マイクロフォンに結合される。通知信号は、第１のマイクロフォンによって提供された第１の入力オーディオ信号、および、第２のマイクロフォンによって提供された第２の入力オーディオ信号の合成に基づく。側音フィードバック通知器は、可聴、画像または触覚信号である場合のある通知信号に基づいて、フィードバック信号をユーザに提供するための通知デバイスに結合される。
2011528545.tif 000002
【特許請求の範囲】
【請求項１】
複数のマイクロフォンを含む通信デバイス、該通信デバイスは下記を備える：
第１の入力オーディオ信号を発生するための第１のマイクロフォン；
第２の入力オーディオ信号を発生するための第２のマイクロフォン；
第１のマイクロフォンに直接的または間接的に接続され、かつ、第２のマイクロフォンに直接的または間接的に接続された、通知信号を発生するための側音フィードバック通知器、ただし、前記通知信号は、前記第１の入力オーディオ信号および前記第２の入力オーディオ信号の合成に基づく；および、
前記側音フィードバック通知器に直接的または間接的に接続された、前記通知信号に基づいてフィードバック信号をユーザに提供するための通知デバイス。
【請求項２】
前記通知デバイスは、ディスプレイ、スピーカ、バイブレータおよび発光ダイオードのうち、少なくとも１つである、請求項１に記載の通信デバイス。
【請求項３】
前記ユーザへの前記フィードバック信号は、可聴信号、画像信号および触覚信号のうち、少なくとも１つである、請求項１に記載の通信デバイス。
【請求項４】
前記第１の入力オーディオ信号および前記第２の入力オーディオ信号に基づく、第１の合成器信号および第２の合成器信号を合成するように適合された信号合成器をさらに備える、請求項１に記載の通信デバイス。
【請求項５】
前記信号合成器は、前記第１の合成器信号および前記第２の合成器信号を合成するための加算器を含む、請求項４に記載の通信デバイス。
【請求項６】
前記側音フィードバック通知器は、前記通知信号のためのレベルを調整するための、少なくとも２つの設定可能な利得調整器を含む、請求項４に記載の通信デバイス。
【請求項７】
前記設定可能な利得調整器の利得のいずれかは設定可能である、請求項６に記載の通信デバイス。
【請求項８】
前記設定可能な利得調整器の利得のいずれかは、前記ユーザによって設定可能である、請求項７に記載の通信デバイス。
【請求項９】
前記設定可能な利得調整器の利得のいずれかは、モードコントローラ出力によって設定可能である、請求項７に記載の通信デバイス。
【請求項１０】
前記モードコントローラ出力は、風雑音検出値、エンハンスメントリターンロスエコー値、および、自動音量制御レベル値のうち、いずれか１つに基づく、請求項９に記載の通信デバイス。
【請求項１１】
前記モードコントローラ出力は、前記通信デバイス上のマイクロフォンが動作中に、２次マイクロフォンから１次マイクロフォンへと指定を切り替えたかどうかに基づく、請求項９に記載の通信デバイス。
【請求項１２】
前記第１の合成器信号および前記第２の合成器信号のうち、少なくとも１つはしきい値を超える、請求項４に記載の通信デバイス。
【請求項１３】
前記しきい値は、予め決定されるか、または設定可能である、請求項４に記載の通信デバイス。
【請求項１４】
前記しきい値は、前記ユーザによって設定可能である、請求項１３に記載の通信デバイス。
【請求項１５】
通信デバイスユーザへのフィードバック信号を生成する方法、該方法は下記を備える：
第１のマイクロフォンからの出力に結合された第１のオーディオ信号を得ること；
第２のマイクロフォンからの出力に結合された第２のオーディオ信号を得ること；
前記第１のオーディオ信号および前記第２のオーディオ信号の合成に基づいて、通知信号を生成すること；および、
通知デバイスに送信された前記通知信号に基づいて、フィードバック信号を前記ユーザに提供すること。
【請求項１６】
前記通知デバイスは、ディスプレイ、スピーカ、バイブレータおよび発光ダイオードのうち、少なくとも１つである、請求項１５に記載の方法。
【請求項１７】
前記ユーザへの前記フィードバック信号は、可聴信号、画像信号および触覚信号のうち、少なくとも１つである、請求項１５に記載の方法。
【請求項１８】
前記第１のオーディオ信号および前記第２のオーディオ信号は、合成された信号を発生するために加算される、請求項１５に記載の方法。
【請求項１９】
前記第１のオーディオ信号、前記第２のオーディオ信号信号、および、前記合成された信号のうちいずれかは、設定可能な利得によって調整される、請求項１８に記載の方法。
【請求項２０】
前記設定可能な利得は、前記ユーザによって設定される、請求項１９に記載の方法。
【請求項２１】
前記設定可能な利得は、モードコントローラ出力によって設定される、請求項１９に記載の方法。
【請求項２２】
前記モードコントローラ出力は、風雑音検出値、エンハンスメントリターンロスエコー値、および、自動音量制御レベル値のうち、いずれか１つに基づく、請求項２１に記載の方法。
【請求項２３】
前記モードコントローラ出力は、前記通信デバイス上のマイクロフォンが動作中に、２次マイクロフォンから１次マイクロフォンへと指定を切り替えたかどうかに基づく、請求項２１に記載の方法。
【請求項２４】
複数のマイクロフォンを含む通信デバイス、該通信デバイスは下記を備える：
第１のマイクロフォンからの出力に結合された第１のオーディオ信号を得るための手段；
第２のマイクロフォンからの出力に結合された第２のオーディオ信号を得るための手段；
前記第１のオーディオ信号および前記第２のオーディオ信号の合成に基づいて、通知信号を生成するための手段；および、
通知デバイスに送信された前記通知信号に基づいて、フィードバック信号をユーザに提供するための手段。
【請求項２５】
前記通知デバイスは、ディスプレイ、スピーカ、バイブレータおよび発光ダイオードのうち、少なくとも１つである、請求項２４に記載の通信デバイス。
【請求項２６】
前記ユーザへの前記フィードバック信号は、可聴信号、画像信号および触覚信号のうち、少なくとも１つである、請求項２４に記載の通信デバイス。
【請求項２７】
前記第１のオーディオ信号および前記第２のオーディオ信号は、合成された信号を発生するために加算される、請求項２４に記載の通信デバイス。
【請求項２８】
前記第１のオーディオ信号、前記第２のオーディオ信号信号、および、前記合成された信号のうちいずれかは、設定可能な利得によって調整される、請求項２７に記載の通信デバイス。
【請求項２９】
前記設定可能な利得は、前記ユーザによって設定される、請求項２８に記載の通信デバイス。
【請求項３０】
前記設定可能な利得は、モードコントローラ出力によって設定される、請求項２８に記載の通信デバイス。
【請求項３１】
前記モードコントローラ出力は、風雑音検出値、エンハンスメントリターンロスエコー値、および、自動音量制御レベル値のうち、いずれか１つに基づく、請求項３０に記載の通信デバイス。
【請求項３２】
前記モードコントローラ出力は、前記通信デバイス上のマイクロフォンが動作中に、２次マイクロフォンから１次マイクロフォンへと指定を切り替えたかどうかに基づく、請求項３０に記載の通信デバイス。
【請求項３３】
下記のコードを備え、１つまたは複数のプロセッサによって実行可能な命令のセットを具現化するコンピュータ可読記憶媒体：
第１のマイクロフォンからの出力に結合された第１のオーディオ信号を得るためのコード；
第２のマイクロフォンからの出力に結合された第２のオーディオ信号を得るためのコード；
前記第１のオーディオ信号および前記第２のオーディオ信号の合成に基づいて、通知信号を生成するためのコード；および
通知デバイスに送信された前記通知信号に基づいて、フィードバック信号をユーザに提供するためのコード。
【請求項３４】
前記通知デバイスは、ディスプレイ、スピーカ、バイブレータおよび発光ダイオードのうち、少なくとも１つである、請求項３３に記載のコンピュータ可読媒体。
【請求項３５】
前記ユーザへの前記フィードバック信号は、可聴信号、画像信号および触覚信号のうち、少なくとも１つである、請求項３３に記載のコンピュータ可読媒体。
【請求項３６】
前記第１のオーディオ信号および前記第２のオーディオ信号は、合成された信号を発生するために加算される、請求項３３に記載のコンピュータ可読媒体。
【請求項３７】
前記第１のオーディオ信号、前記第２のオーディオ信号信号、および、前記合成された信号のうちいずれかは、設定可能な利得によって調整される、請求項３６に記載のコンピュータ可読媒体。
【請求項３８】
前記設定可能な利得は、前記ユーザによって設定される、請求項３７に記載のコンピュータ可読媒体。
【請求項３９】
前記設定可能な利得は、モードコントローラ出力によって設定される、請求項３７に記載のコンピュータ可読媒体。
【請求項４０】
前記モードコントローラ出力は、風雑音検出値、エンハンスメントリターンロスエコー値、および、自動音量制御レベル値のうち、いずれか１つに基づく、請求項３９に記載のコンピュータ可読媒体。
【請求項４１】
前記モードコントローラ出力は、前記通信デバイス上のマイクロフォンが動作中に、２次マイクロフォンから１次マイクロフォンへと指定を切り替えたかどうかに基づく、請求項３９に記載のコンピュータ可読媒体。
【発明の詳細な説明】
【技術分野】
【０００１】
３５  Ｕ．Ｓ．Ｃ．§１１９に基づく優先権の主張
本特許出願は、「Ｍｅｔｈｏｄ  Ａｎｄ  Ａｐｐａｒａｔｕｓ  Ｆｏｒ  Ｐｒｏｖｉｄｉｎｇ  Ｓｉｄｅｔｏｎｅ  Ｆｅｅｄｂａｃｋ  Ｎｏｔｉｆｉｃａｔｉｏｎ  Ｔｏ  Ａ  Ｕｓｅｒ  Ｏｆ  Ａ  Ｃｏｍｍｕｎｉｃａｔｉｏｎ  Ｄｅｖｉｃｅ  Ｗｉｔｈ  Ｍｕｌｔｉｐｌｅ  Ｍｉｃｒｏｐｈｏｎｅｓ」という名称の実用出願（Utility Application）第１２／５０３，７８８号、代理人整理番号第０８１３３５号の優先権を主張し、また、本出願の譲受人に譲渡されている、２００８年７月１６日に出願した「Ｍｅｔｈｏｄ  ｆｏｒ  ｐｒｏｖｉｄｉｎｇ  ｓｉｄｅｔｏｎｅ  ｆｅｅｄｂａｃｋ  ｔｏ  ａ  ｕｓｅｒ  ｏｆ  ａ  ｍｏｂｉｌｅ  ｖｏｉｃｅ  ｃｏｍｍｕｎｉｃａｔｉｏｎ  ｄｅｖｉｃｅ  ｗｉｔｈ  ｍｕｌｔｉｐｌｅ  ｍｉｃｒｏｐｈｏｎｅ  ｉｎｐｕｔｓ」という名称の仮出願第６１／０８１，３０９号、代理人整理番号第０８１３３５Ｐ１号の権利を主張するものである。
【０００２】
本開示は、一般に通信システムに関する。より詳細には、本開示は、複数のマイクロフォンを有する通信デバイスのユーザに、側音フィードバックを提供するための方法および装置に関する。
【背景技術】
【０００３】
無線通信システムは、音声、ビデオ、データ、音楽、その他など、様々なタイプの通信コンテンツを提供するために、広く配置されている。無線通信ネットワークは、いくつかの通信デバイスのための通信を提供する場合がある。
【０００４】
単一のマイクロフォン入力を有する多数の通信デバイスは、可聴側音信号をユーザへ提供する能力を有する。側音とは、ハンドセットまたはヘッドセットにおけるスピーカ信号に対するマイクロフォン信号のフィードバックのための、テレフォニーで使用される語である。自分自身の弱まった声が聞こえるとき、ユーザは自分の声が送信中であることを知る。低減された信号を、イヤホンによって覆われている耳へ戻すことで、自分の耳にイヤホンをつけずに話すときのように、ユーザに正常量の声が聞こえることが可能となる。これは、ユーザにある快適な感覚を与える。
【０００５】
単一のマイクロフォンを有する通信デバイスは最終的には、複数のマイクロフォンを有する通信デバイスに取り替えられる場合がある。複数マイクロフォン音源分離アルゴリズムは、スピーチ信号と非スピーチ（非定常雑音）信号の間のよりよい区別を可能にする。電話での会話中に通信デバイス上で動作中のマイクロフォンの数が増加すると、より多くのオーディオ信号が、追加のマイクロフォンによって複数の位置から取り込まれる。単一のマイクロフォンの通信デバイスで行われるように側音信号を提供することは、ある状況では望ましくない場合がある。
【発明の概要】
【０００６】
本開示の一態様では、複数のマイクロフォンを含む通信デバイスが提供される。通信デバイスは、複数のマイクロフォンを含む通信デバイスが提供される。通信デバイスは、少なくとも２つのマイクロフォンを含む。通信デバイスはさらに、通知信号を発生するための側音フィードバック通知器を含む。側音フィードバック通知器は、マイクロフォンに結合される。通知信号は、第１のマイクロフォンによって提供された第１の入力オーディオ信号、および、第２のマイクロフォンによって提供された第２の入力オーディオ信号の合成に基づく。側音フィードバック通知器は、通知信号に基づいてフィードバック信号をユーザに提供するための通知デバイスに結合される。
【０００７】
本開示の別の態様では、通信デバイスユーザへのフィードバック信号を生成する方法が提供される。この方法は、第１のマイクロフォンからの出力に結合された第１のオーディオ信号を得ること、および、第２のマイクロフォンからの出力に結合された第２のオーディオ信号を得ることを共に含む。この方法はさらに、第１のオーディオ信号および第２のオーディオ信号の合成に基づいて、通知信号を生成することを含む。加えて、この方法は、通知デバイスに送信された通知信号に基づいて、フィードバック信号をユーザに提供することを含む。
【０００８】
本開示のさらなる態様では、複数のマイクロフォンを含む通信デバイスが提供される。通信デバイスは、第１のマイクロフォンからの出力に結合された第１のオーディオ信号を得るための手段、および、第２のマイクロフォンからの出力に結合された第２のオーディオ信号を得るための手段を共に備える。通信デバイスはさらに、第１のオーディオ信号および第２のオーディオ信号の合成に基づいて、通知信号を生成するための手段を含む。加えて、通信デバイスは、通知デバイスに送信された通知信号に基づいて、フィードバック信号をユーザに提供するための手段を含む。
【０００９】
本開示のさらなる態様では、第１のマイクロフォンからの出力に結合された第１のオーディオ信号を得るためのコード、および、第２のマイクロフォンからの出力に結合された第２のオーディオ信号を得るためのコードを共に備える、１つまたは複数のプロセッサによって実行可能な命令のセットを具現化するコンピュータ可読媒体が提供される。命令のセットは、第１のオーディオ信号および第２のオーディオ信号の合成に基づいて、通知信号を生成するためのコードを含む。加えて、命令のセットは、通知デバイスに送信された通知信号に基づいて、フィードバック信号をユーザに提供するためのコードを含む。
【図面の簡単な説明】
【００１０】
【図１】２つの通信デバイスを有する通信システム０１を示す図。
【図２】単一のマイクロフォンを有する通信デバイス２０Ａを例示するブロック図。
【図３】本明細書で開示かつ想定された方法を実装し、装置／デバイスおよび回路を備える、通信デバイス２０Ｂに含まれる場合のある、ディジタル信号プロセッサ８０Ａを例示するブロック図。
【図４】本明細書で開示かつ想定された方法を実装し、装置／デバイスおよび回路を備える、通信デバイスに含まれる側音フィードバック通知器の１つの構成を例示するブロック図。
【図５Ａ】本明細書で開示かつ想定された方法を実装し、装置／デバイスおよび回路を備える、側音フィードバック通知器に含まれる信号合成器の１つの構成を例示するブロック図。
【図５Ｂ】本明細書で開示かつ想定された方法を実装し、装置／デバイスおよび回路を備える、側音フィードバック通知器に含まれる信号合成器の１つの構成を例示するブロック図。
【図６】本明細書で開示かつ想定された方法を実装し、装置／デバイスおよび回路を備える、側音フィードバック通知器に含まれる信号合成器の１つの構成を例示するブロック図。
【図７】本明細書で開示かつ想定された方法を実装し、装置／デバイスおよび回路を備える、側音フィードバック通知器に含まれる信号合成器の１つの構成を例示するブロック図。
【図８】本明細書で開示かつ想定された方法を実装し、装置／デバイスおよび回路を備える、通信デバイスに含まれる側音フィードバック通知器の１つの構成を例示するブロック図。
【図９】本明細書で開示かつ想定された方法を実装し、装置／デバイスおよび回路を備える、側音フィードバック通知器を含む通信デバイスを設定するために、ユーザによって使用される場合のある、ディスプレイの１つの構成を例示するブロック図。
【図１０】本明細書で開示かつ想定された方法を実装し、装置／デバイスおよび回路を備える、通信デバイスに含まれる側音フィードバック通知器の１つの構成を例示するブロック図。
【図１１】本明細書で開示かつ想定された方法を実装し、装置／デバイスおよび回路を備える、通信デバイスに含まれる側音フィードバック通知器の１つの構成を例示するブロック図。
【図１２】本明細書で開示かつ想定された方法を実装し、装置／デバイスおよび回路を備える、通信デバイスに含まれる側音フィードバック通知器の１つの構成を例示するブロック図。
【図１３】本明細書で開示かつ想定された方法を実装し、装置／デバイスおよび回路を備える、側音フィードバック通知器に関連付けられたコンポーネントを制御するために使用された、制御論理の例示的流れ図を例示する図。
【図１４】本明細書で開示かつ想定された方法を実装し、装置／デバイスおよび回路を備える、側音フィードバック通知器に関連付けられたコンポーネントを制御するために使用された、制御論理の例示的流れ図を例示する図。
【図１５Ａ】本明細書で開示かつ想定された方法を実装し、装置／デバイスおよび回路を備える場合のある、通信デバイスの正面図を例示する図。
【図１５Ｂ】本明細書で開示かつ想定された方法を実装し、装置／デバイスおよび回路を備える場合のある、通信デバイスの背面図を例示する図。
【図１６Ａ】本明細書で開示かつ想定された方法を実装し、装置／デバイスおよび回路を備える場合のある、通信デバイスの正面図を例示する図。
【図１６Ｂ】本明細書で開示かつ想定された方法を実装し、装置／デバイスおよび回路を備える場合のある、通信デバイスの背面図を例示する図。
【図１７Ａ】本明細書で開示かつ想定された方法を実装し、装置／デバイスおよび回路を備える場合のある、通信デバイスの正面図を例示する図。
【図１７Ｂ】本明細書で開示かつ想定された方法を実装し、装置／デバイスおよび回路を備える場合のある、通信デバイスの背面図を例示する図。
【発明を実施するための形態】
【００１１】
本明細書に記載の原理は、例えば、ヘッドセット、ハンドセット、または、側音フィードバック通知を行うように構成される他の通信デバイスに適用される場合がある。その文脈によって明示的に限定されない限り、「信号」という語は、ワイヤ、バス、または他の伝送媒体上に表されるような、記憶場所（または、記憶場所のセット）の状態を含む、その通常の意味のいずれかを示すように本明細書で使用される。その文脈によって明示的に限定されない限り、「生成する」という語は、算出する、またはそうでない場合は、発生するなど、その通常の意味のいずれかを示すように本明細書で使用される。その文脈によって明示的に限定されない限り、「計算する」という語は、算出する、評価する、円滑化する、および／または、複数の値から選択するなど、その通常の意味のいずれかを示すように本明細書で使用される。その文脈によって明示的に限定されない限り、「利得を調整する」という語は、利得の調整が増加または減少（すなわち、損失）である場合があることを示すように使用される。その文脈によって明示的に限定されない限り、「得る」という語は、（例えば、別のコンポーネント、ブロックまたはデバイスから）計算する、導出する、受信する、および／または、（例えば、記憶レジスタまたは記憶素子のアレイから）検索するなど、その通常の意味のいずれかを示すように使用される。その文脈によって明示的に限定されない限り、「発生する」という語は、計算する、生成する、および／または、提供するなど、その通常の意味のいずれかを示すように使用される。その文脈によって明示的に限定されない限り、「提供する」という語は、計算する、生成する、および／または、発生するなど、その通常の意味のいずれかを示すように使用される。その文脈によって明示的に限定されない限り、「結合される」という語は、直接的または間接的な電気または物理接続を示すように使用される。接続が間接的である場合、「結合され」ている構造物の間に他のブロックまたはコンポーネントがある場合があることは、当業者にはよく理解されよう。「構成」という語は、その特定の文脈によって示されるような方法、装置／デバイス、および／または、システムを参照して使用される場合がある。「備える」という語が本明細書および特許請求の範囲において使用される場合には、他の要素または動作を除くものではない。（「ＡはＢに基づく」にあるような）「基づく」という語は、（ｉ）「少なくとも基づく」（例えば、「Ａは少なくともＢに基づく」）の場合、および、特定の文脈において適切な場合、（ｉｉ）「に等しい」（例えば、「ＡはＢに等しい」）の場合を含む、その通常の意味のいずれかを示すように使用される。（ｉ）ＡはＢに基づく、が、少なくとも基づく、を含む場合、これは、ＡがＢに結合される構成を含む場合がある。同様に、「に応答して」という語は、「少なくとも応答して」を含む、その通常の意味のいずれかを示すように使用される。「少なくとも１つ」という語は、「１つまたは複数の」を含む、その通常の意味のいずれかを示すように使用される。「少なくとも２つ」という語は、「２つ以上」を含む、その通常の意味のいずれかを示すように使用される。
【００１２】
「装置」および「デバイス」という語は、特定の文脈によって他に指示がない限り、総称的かつ交換可能に使用される。他に指示がない限り、特定の特徴を有する装置の動作のいかなる開示もまた、類似の特徴を有する方法を開示するようにも明確に意図され（および、逆もまた同じ）、特定の構成による装置の動作のいかなる開示もまた、類似の構成による方法を開示するようにも明確に意図される（および、逆もまた同じ）。「方法」、「処理」、「手順」および「技術」という語は、特定の文脈によって他に指示がない限り、総称的かつ交換可能に使用される。「要素」および「モジュール」という語は典型的には、より大きい構成の一部を示すために使用される。文書の一部の参照によるいかなる組み込みもまた、その部分内で参照される語または変数の定義を組み込むようにも理解されるものであり、そのような定義は、その文書、ならびに、組み込まれた部分において参照されたいかなる図における、他の場所で現れる。
【００１３】
本明細書で使用されるとき、「通信デバイス」という語は、無線通信ネットワークを介した音声および／またはデータ通信のために使用される場合のある、電子デバイスを指す。通信デバイスの例には、携帯電話、携帯情報端末（ＰＤＡ）、ハンドヘルドデバイス、ヘッドセット、無線モデム、ラップトップコンピュータ、パーソナルコンピュータなどが含まれる。
【００１４】
図１は、２つの通信デバイスを有する通信システム１を示す。これらの通信デバイスは、図１に例示するように、無線デバイスである場合がある。通信システム１は、遠端無線デバイス４および近端無線デバイス２という、２つの複数の通信デバイスと共に図示される。遠端無線デバイス４および近端無線デバイス２は、ネットワーク６を介して互いに通信する場合がある。例えば、遠端無線デバイス４および近端無線デバイス２は、遠端無線デバイス４のユーザと、近端無線デバイス２のユーザの間の音声通信を容易にする場合がある。遠端無線デバイス４は、遠端オーディオ出力１２を遠端無線デバイス４のユーザへ送信すること、および、遠端オーディオ入力１４を遠端無線デバイス４のユーザから受信することによって、通信を容易にする場合がある。遠端無線デバイス４は、スピーカ１６ａを通じて、遠端オーディオ出力１２を送信する場合がある。遠端無線デバイス４は、マイクロフォン１８ａを通じて、遠端オーディオ入力１４を受信する場合がある。遠端オーディオ入力１４は、遠端信号と呼ばれる場合がある。
【００１５】
同様に、近端無線デバイス２は、スピーカ１６ｂを通じて、近端無線デバイス２のユーザへ近端オーディオ出力０８を送信する場合がある。近端無線デバイス２はまた、マイクロフォン１８ｂを通じて、近端オーディオ入力１０を受信する場合もある。近端オーディオ入力１０はまた、近端信号と呼ばれる場合もある。音声通信では、遠端信号は、遠端無線デバイス４によって、ネットワーク６を介して近端無線デバイス２へ送信される場合がある。遠端信号を受信した後、近端無線デバイス２は、遠端信号を音響信号に変換する場合がある。近端無線デバイス２は次いで、ラウドスピーカ１６ｂを使用して、遠端信号をブロードキャストする場合がある。遠端信号の音響伝達（すなわち、近端オーディオ出力８）は、近端オーディオ入力１０の一部として、近端無線デバイス１０２マイクロフォン１８ｂによって取り込まれる場合がある。
【００１６】
図２は、近端２無線デバイス、遠端無線デバイス４、または両方として使用される場合のある、単一のマイクロフォン２４を有する通信デバイス２０Ａを例示するブロック図である。通信デバイス２０Ａは、携帯電話である場合がある。マイクロフォンは、オーディオ信号を取り込み、アナログ−ディジタルコンバータ（ＡＤＣ）２８は、取り込まれたオーディオ信号をアナログ波形から、ディジタルオーディオサンプルからなるディジタル波形に変換する。ディジタルオーディオサンプルは、図２に例示するように、ディジタル信号プロセッサ３０によって処理される場合がある。利得調整器は、オーディオ信号の振幅レベルを増加または減少させることによって、利得を調整する場合がある。利得調整器（ＧＡ）は、アナログまたはディジタル領域内で動作する場合がある。図２に例示された利得調整器（ＧＡ１）３２は、ディジタル領域内で動作し、ＡＤＣ２８によって発生されたディジタルオーディオサンプルを調整する。利得調整器（ＧＡ１）３２の後、エコーキャンセラ３６は、マイクロフォン２４に入るスピーカ３８の出力によって作成された場合のある、いかなるエコーをも低減する。音声通信の効率的な送信が行われるために、ディジタルオーディオサンプルは、ボコーダ（音声符号器−復号器）によって「圧縮」される場合がある。エコーキャンセラの出力は、例えば、フィルタ、雑音プロセッサ、レートコンバータなど、ボコーダ前処理ブロック４０に結合される場合がある。ディジタルオーディオサンプルは、ボコーダの符号器４０によって圧縮され、送信パケット（ディジタルオーディオサンプルの圧縮ビットの表現）を形成する。送信パケットは、プロセッサ５２と共有される場合のある、メモリ４８に格納される。プロセッサは、ＡＲＭ９もしくはＡＲＭ１１、または、ディジタル信号プロセッサ３０と通信する、ある他のタイプの制御プロセッサである場合がある。プロセッサ５２はまた、ディスプレイ５４およびトランシーバ５６にも結合される。トランシーバは、ある形式（他の情報は、送信パケットに付加される場合がある）の送信パケットを変調し、アンテナ５８を介して無線で送信した。アンテナ５８はまた、受信パケットを備える、ある形式の着信パケットを受信する。受信パケットは、異なる通信デバイス、例えば、遠端無線デバイス０４によって送信される。受信パケットは、ボコーダの復号器６０によって「展開」される。展開された波形は時として、再構成されたオーディオサンプルと呼ばれる。再構成されたオーディオサンプルは次いで、ボコーダ後処理ブロック６４によって後処理され、エコーキャンセラ３６によって、エコーを除去するために使用される。明確にするために、ボコーダ復号器６０およびボコーダ後処理ブロック６４を、ボコーダ復号器モジュール６６と称する。いくつかの構成では、エコーキャンセラ３６の出力６８は次いで、加算器７０によって可聴スピーチ側音信号に加算される。別法として、他の構成では、ボコーダ復号器モジュール６６の出力６８は次いで、加算器７０によって側音信号に加算される。側音信号は、利得調整器（ＧＡ２）７４によって、増幅または抑制される場合がある。加算器７０の出力は次いで、ディジタル−アナログ−コンバータ７８によってディジタル信号からアナログ信号へ変換され、スピーカ３８から再生される。
【００１７】
図３は、本明細書で開示された方法を実装し、装置／デバイスおよび回路を備える、通信デバイス２０Ｂに含まれる場合のある、ディジタル信号プロセッサ８０Ａを例示するブロック図である。前述のように、単一のマイクロフォンを有する多数の通信デバイスは最終的には、複数のマイクロフォンを含む通信デバイスに取り替えられる場合がある。複数のマイクロフォンを有する通信デバイスでは、これらの追加のオーディオ信号に関してユーザ自身の声を知覚するユーザの能力に対して、これらの追加のマイクロフォン（複数可）が与える影響を、ユーザに通知するために、ユーザがフィードバック信号を受信することが望ましい。音声通信中、オーディオ品質は、近端ユーザおよび遠端ユーザの両方の体験に影響を及ぼす場合がある。ユーザには、何のオーディオ信号（複数可）が送信中であるかが聞こえることが望ましい。ユーザは、劣化したオーディオ品質を知覚する場合があり、または、他のユーザが、劣化したオーディオ品質があることを示す場合がある。一実施形態では、音声通信中に、ユーザは、自分の通信デバイス２０Ｂ上で複数のマイクロフォンによって取り込まれた入力オーディオ信号の振幅レベルを、別々に調整することができる場合がある。別の実施形態では、音声通信中に、通信デバイス２０Ｂは、ユーザの入力なしに、複数のマイクロフォンによって取り込まれた入力オーディオ信号の振幅レベルを調整する場合がある。複数のマイクロフォンによって発生された入力オーディオ信号の振幅レベルの調整が、ユーザの入力を有して行われるか、有さずに行われるかにかかわらず、音声通信中に、通信デバイス２０Ｂは、通知信号に基づいて、フィードバック信号をユーザに提供し、通知信号は、入力オーディオ信号の合成に基づくものである。
【００１８】
通信デバイス２０Ｂもまた、近端０２デバイス、遠端無線デバイス０４、または両方として使用される場合がある。通信デバイス２０Ｂは、図２の通信デバイス２０Ａと類似のコンポーネントを備える場合がある。例えば、アンテナ５８、トランシーバ５６、ディスプレイ５４、プロセッサ５２、ボコーダ復号器モジュール６６、およびボコーダ符号器４４は、上述と同じように機能する場合がある。図３の通信デバイス２０Ｂは、しかし、少なくとも２つのマイクロフォンを備える場合がある。動作中であるとき、第１のマイクロフォン８２Ａは、第１の入力オーディオ信号８４Ａを発生する。動作中であるとき、第２のマイクロフォン８２Ｂは、第２の入力オーディオ信号８４Ｂを発生する。第１の入力オーディオ信号８４Ａはアナログ信号であり、第１のＡＤＣ８６Ａによって、第１のディジタル入力オーディオ信号８８Ａに変換される場合がある。第２の入力オーディオ信号８４Ｂはアナログ信号であり、第２のＡＤＣ８６Ｂによって、第２のディジタル入力オーディオ信号８８Ｂに変換される場合がある。他の構成では、第１の入力オーディオ信号８４Ａおよび第２の入力オーディオ信号８４Ｂは、ＡＤＣによって変換される場合がある。動作中であるとき、側音フィードバック通知器９０は、通知信号９４を発生する。通知信号は、通知デバイス９６に直接的または間接的に接続される場合がある。動作中であるとき、通知デバイス９６は、側音フィードバック通知器９０に直接的または間接的に接続され、通知信号９４に基づいてフィードバック信号（可聴信号）７５Ａをユーザに提供する。
【００１９】
図３に例示された構成では、通知信号は、通知デバイス９６に間接的に（少なくとも、加算器７０およびディジタル−アナログコンバータ（ＤＡＣ）７８は、通知信号９４および通知デバイス９６を分離する）接続される。図３に例示された構成では、通知信号は可聴側音信号を表す。可聴側音信号は、通知デバイス９６によって処理中であるフィードバック信号の一部であり、通知デバイス９６は、図２に例示されたものに類似のスピーカである場合がある。側音フィードバック通知器の２つの追加の出力９７Ａ、９７Ｂは、第１および第２の入力オーディオ信号８４Ａ、８４Ｂに基づく場合がある。ある場合では、出力９７Ａ、９７Ｂは、第１および／または第２のディジタル入力オーディオ信号８８Ａ、８８Ｂである場合がある。別の場合、出力９７Ａ、９７Ｂは、第１および／または第２のディジタル入力オーディオ信号８８Ａ、８８Ｂの基準化されたバージョンである場合がある。１つの構成では、出力９７Ａ、９７Ｂは、音源分離器モジュール９８に結合される。音源分離器モジュール９８は、各音源分離器モジュール入力のためのエコーキャンセラ（９９Ａ、９９Ｂ）、スピーチ信号を非スピーチ信号から分離するための音源分離器１００、および、音源分離された信号を調節するためのポストプロセッサ１０１を備える場合がある。
【００２０】
音源分離器１００は、音源分離アルゴリズムを実装する場合がある。「音源分離アルゴリズム」という語はビーム形成アルゴリズムを含み、また、独立ベクトル分析（independent vector analysis）（ＩＶＡ）など、独立成分分析（ＩＣＡ）および関連方法など、ブラインド音源分離アルゴリズムをも含む。ブラインド音源分離（ＢＳＳ）アルゴリズムは、個々のソース信号（１つまたは複数の情報源、および、１つまたは複数の干渉源からの信号を含む場合がある）を、これらのソース信号の混合のみに基づいて分離する方法である。「ブラインド」という語は、参照信号または対象の信号が使用可能でないという事実を指し、このような方法は、１つまたは複数の情報および／または干渉信号の統計値に関する仮定を共通して含む。音声アプリケーションでは、例えば、対象のスピーチ信号は、スーパーガウス分布（supergaussian distribution）（例えば、高い尖度）を有すると、共通して仮定される。
【００２１】
ＢＳＳアルゴリズムのクラスは、多変量ブラインドデコンボリューション（multivariate blind deconvolution）アルゴリズムを含む。音源分離アルゴリズムはまた、例えば、記録トランスデューサのアレイの軸に対する、１つまたは複数のソース信号の各々の既知の方向など、他の先験的情報によって制約される、ＩＣＡおよびＩＶＡなど、ブラインド音源分離アルゴリズムの変形形態をも含む。このようなアルゴリズムは、観測された信号ではなく、指向性情報のみに基づいた、固定の非適応ソリューションを適用するビーム形成器とは区別される場合がある。とはいえ、本明細書で開示かつ想定された技術については、ビーム形成器もまた、音源分離器１００として使用される場合がある。
【００２２】
スピーチ信号を非スピーチ信号から分離することは、各音源分離器出力７７Ａ、７７Ｂが他方の出力の信号の残りの成分を有することを含むことは、当業者にはよく理解されよう。例えば、第１の音源分離器出力７７Ａは、最初にスピーチ信号である場合がある。しかし、非スピーチ信号の残り（より少量）は、第１の音源分離器出力７７Ａ内に存在する場合がある。同様に、第２の音源分離器出力７７Ｂは、最初に非スピーチ信号（例えば、背景雑音）である場合があるが、第２の分離器出力７７Ｂにおいて存在する残存量のスピーチ信号がある場合がある。そのため、音源分離器９８はしばしば、非スピーチ信号を抑制または低減するものとして記載される。非スピーチ信号は、定常（例えば、ヒス、白色雑音、トーン、一定のエンジン音）または非定常（スピーチ、おしゃべり、トラヒック）である場合がある。ポストプロセッサ１０１は、音源分離器出力７７Ａ、７７Ｂを周波数領域に変換し、調節する場合がある。例えば、スピーチが存在する周波数の位置において、ポストプロセッサ１０１は、スピーチ信号の周波数成分を強調する場合がある。同様に、非スピーチが存在する周波数の位置において、非スピーチ信号はさらに抑制される場合がある。
【００２３】
図４は、本明細書で開示かつ想定された方法を実装し、装置／デバイスおよび回路を備える、側音フィードバック通知器９０の１つの構成を例示するブロック図である。図４に例示するように、側音フィードバック通知器９０は、第１の入力オーディオ信号８４Ａおよび第２の入力オーディオ信号８４Ｂの合成に基づいて、通知信号９４を発生する。通知デバイス９６は、通知信号に基づいてフィードバック信号７５Ｚをユーザに提供するために、側音フィードバック通知器に直接的または間接的に接続される。動作中であるとき、通知デバイス９６は、側音フィードバック通知器９０に直接的または間接的に接続され、通知信号９４に基づいてフィードバック信号（可聴信号）７５Ａをユーザに提供する。図４に例示するように、通知信号は、通知デバイス９６に間接的に（少なくとも、加算器７０およびディジタル−アナログコンバータ（ＤＡＣ）７８は、通知信号９４および通知デバイス９６を分離する）接続される。図３に例示された構成では、通知信号は可聴側音信号を表す。
【００２４】
図３に例示された構成では、側音フィードバック通知器９０は、第１のＡＤＣ８６Ａおよび第２のＡＤＣ８６Ｂによってそれぞれ発生された、第１および第２のディジタル入力オーディオ信号８８Ａ、８８Ｂを調整するために、信号合成器１０２および利得調整器１０４Ａ、１０４Ｂを備える。「１０４Ａ」とラベル付けされた利得調整器１０４Ａによって利得を調整することは、第１のディジタル入力オーディオ信号８８Ａの振幅値を増加または減少させる場合がある。「１０４Ｂ」とラベル付けされた利得調整器１０４Ｂによって利得を調整することは、第２のディジタル入力オーディオ信号８８Ｂの振幅値を増加または減少させる場合がある。利得調整器はまた、第１および第２のディジタル入力オーディオ信号８８Ａ、８８Ｂを、有効に調整することなく、受け渡すこともできる。これは、各利得調整器の入力における振幅レベルが各利得調整器の出力における振幅レベルと同じであることを保証することによって、実施される場合がある。例えば、入力を１倍に調整することは、これを達成する場合がある。利得調整器の一例は、増幅器である。多数の増幅器は、それらの入力信号を増幅または抑制するように、予め設定される場合がある。図４に例示された構成では、利得調整器１０４Ａ、１０４Ｂはディジタルである。利得調整器１０４Ａ、１０４Ｂは、入力が調整されるべきであるか、低減されるべきであるかに応じて、ディジタル乗算器および／またはディジタル除算器を備える場合がある。いくつかの場合には、利得調整器１０４Ａ、１０４Ｂは、ディジタル乗算器を備える場合があり、入力は、小数値で乗算することによって低減される。他の場合では、ディジタル入力値は、側音フィードバック通知器のある部分に位置する一時記憶レジスタ（明示せず）内、または、側音フィードバック通知器によってアクセス可能であるメモリ内に格納され、ディジタル入力値は、乗算するために「シフトアップ」されるか、または、除算するために「シフトダウン」される。代替実施形態では、第１および第２の入力オーディオ信号８４Ａ、８４Ｂは、利得調整器１０５Ａ、１０５Ｂ（図５Ｂに図示）に結合される場合がある。このような実施形態では、利得調整器１０５Ａ、１０５Ｂは、アナログ増幅器またはアナログ乗算器である場合がある。いかなる利得調整器１０４Ａ、１０４Ｂ、１０５Ａ、１０５Ｂより前または後にも、その利得調整器に結合されたフィルタがある場合があることは、当業者には理解されよう。このフィルタは、ディジタル領域内（すなわち、ＡＤＣ８６ＡまたはＡＤＣ８６Ｂの下流）、しかし、いかなるＤＡＣよりも前）で利得調整器１０４Ａ、１０４Ｂに結合される場合、ディジタルフィルタである場合がある。同様に、このフィルタは、アナログ領域内（すなわち、ＡＤＣ８６ＡまたはＡＤＣ８６Ｂより前）で利得調整器１０５Ａ、１０５Ｂに結合される場合、アナログフィルタである場合がある。側音フィードバック通知器９０の出力９７Ａ、９７Ｂは、図３に例示するように、信号源分離器モジュール９８に結合される場合がある。いかなる利得調整器１０４Ａ、１０４Ｂ、１０５Ａ、１０５Ｂ、ならびに、それに結合された可能なフィルタ（図示せず）のいかなるものも、信号合成器内に位置する場合があることを、当業者には理解されたい。
【００２５】
信号合成器１０２は、第１の入力オーディオ信号８４Ａおよび第２の入力オーディオ信号８４Ｂに基づく、第１の合成器信号および第２の合成器信号を合成するように適合される。一実施形態では、第１の合成器信号は、第１の入力オーディオ信号８４Ａであり、第２の合成器信号は、第２の入力オーディオ信号８４Ｂである。別の実施形態では、第１の合成器信号は、第１の入力オーディオ信号８４Ａの調整されたバージョンであり、第２の合成器信号は、第２の入力オーディオ信号８４Ｂの調整されたバージョンである。調整されたバージョンは、ディジタル信号またはアナログ信号である場合がある。第１の合成器信号および第２の合成器信号は、出力合成器信号を発生する。信号合成器１０２の出力は、通知信号９４である場合がある。図３に例示された構成では、通知信号９４は、加算器７０により、ボコーダ復号器モジュール６６の出力に加算される。
【００２６】
図５Ａは、本明細書で開示かつ想定された方法を実装し、装置／デバイスおよび回路を備える、側音フィードバック通知器９０に含まれる信号合成器１０２の１つの構成を例示するブロック図である。信号合成器１０２は、第１の利得調整器（ＳＣＧＡ1）１０６Ａ、第２の利得調整器（ＳＣＧＡ2）１０６Ｂ、加算器１１０、および、第３の利得調整器（ＳＣＧＡ3）１１４を備える場合がある。信号合成器１０２は、第１の合成器信号（図５Ａに例示された構成では、第１の利得調整器１０６Ａの出力である）および第２の合成器信号（図５Ａに例示された構成では、第２の利得調整器１０６Ｂの出力である）を合成するように適合される。利得調整器ＳＣＧＡ1  １０６ＡおよびＳＣＧＡ2  １０６Ｂは、任意である。前述のように、第１の合成器信号は、第１のディジタル入力オーディオ信号である場合があり、第２の合成器信号は、第２のディジタル入力オーディオ信号である場合がある。第１の合成器信号および第２の合成器信号は、合成された信号を発生するために合成される。図５Ａに例示された構成では、合成された信号は、通知信号９４を発生するために、利得調整器ＳＣＧＡ3  １１４によって調整される。利得調整器ＳＣＧＡ3  １１４は、任意である。前述のように、信号合成器１０２の出力は、通知信号９４である場合がある。このような場合、通知信号９４は、合成された信号である場合がある。図５Ａに例示された構成では、通知信号９４は、加算器７０により、ボコーダ復号器モジュール６６の出力に加算される。加算器７０の出力は、ＤＡＣ７８によってアナログ信号に変換され、通知デバイスから再生される。この場合、通知デバイスはスピーカ１１６である。
【００２７】
図５Ｂは、本明細書で開示かつ想定された方法を実装し、装置／デバイスおよび回路を備える、側音フィードバック通知器９０に含まれる信号合成器１０２の１つの構成を例示するブロック図である。図５Ｂに例示するように、信号合成器１０２は、アナログ信号、第１の合成器信号を発生する第１の利得調整器（ＳＣＧＡ1）１０６Ａ、および、アナログ信号、第２の合成器信号を発生する第２の利得調整器（ＳＣＧＡ2）１０６Ｂを備える。前述し、また、現在、図５Ｂに例示するように、第１の合成器信号は、第１の入力オーディオ信号８４Ａの調整されたバージョンであり、第２の合成器信号は、第２の入力オーディオ信号８４Ｂの調整されたバージョンである。前述のように、第１の合成器信号および第２の合成器信号は、出力合成器信号を発生する。図５Ｂに例示された構成では、出力合成器信号は、利得調整器ＳＣＧＡ3  １１５によって、通知信号９５を発生するために調整される。利得調整器ＳＣＧＡ3  １１５は、任意である。前述のように、信号合成器１０２の出力は、通知信号９４である場合がある。図５Ｂに例示された構成では、通知信号９５はアナログ信号であり、ＡＤＣ１１２Ｃによってディジタル信号に変換される。ＡＤＣ１１２Ｃの出力は、加算器７０により、ボコーダ復号器モジュール６６の出力に加算される。加算器７０の出力は、ＤＡＣ７８によってアナログ信号に変換され、通知デバイスから再生される。この場合、通知デバイスはスピーカ１１６である。代替構成（図示せず）では、通知信号９５は、代わりにアナログ加算器（図示せず）によってＤＡＣ７８の出力に加算される場合があり、結果として生じる波形は、スピーカ１１６から再生される。この代替構成では、ＡＤＣ１１２Ｃが通知信号９５をアナログ信号に変換する必要がない場合がある。
【００２８】
前述のように、第１および第２の入力オーディオ信号８４Ａ、８４Ｂは、利得調整器１０５Ａ、１０５Ｂに結合される場合がある。利得調整器ＳＦＮＧＡ1  １０５ＡおよびＳＦＮＧＡ2  １０５Ｂは、ＡＤＣ１１２Ａ、１１２Ｂに結合され、任意である。含まれる場合、それらはまた、側音フィードバック通知器９１内に任意に位置する場合がある。「１０５Ａ」とラベル付けされた利得調整器１０５Ａは、第１の入力オーディオ信号８４Ａを調整する場合があり、「１０５Ｂ」とラベル付けされた利得調整器１０５Ｂは、第２の入力オーディオ信号８４Ｂを調整する場合がある。図５Ｂに明示されたものとは異なる構成では、これらの利得調整器１０５Ａ、１０５Ｂの各々は、第１の入力オーディオ信号８４Ａおよび第２の入力オーディオ信号８４Ｂに基づく信号を調整する場合がある。利得調整器１０５Ａ、１０５Ｂの出力１１７Ａ、１１７Ｂは、ＡＤＣ１１２Ａ、１１２Ｂによって、アナログ信号からディジタル信号に変換される。ＡＤＣ１１２Ａのディジタル出力１１９Ａ、１１９Ｂは次いで、音源分離モジュール９８によって処理される場合がある。音源分離モジュール９８の出力は次いで、ボコーダ符号器４４へ送信される場合がある。
【００２９】
図６は、本明細書で開示かつ想定された方法を実装し、装置／デバイスおよび回路を備えるための、側音フィードバック通知器９０に含まれる信号合成器１０２の１つの構成を例示するブロック図である。ＤＡＣ１３０へ送信される通知信号１２９を発生するための信号合成器１０２は、第１のしきい値検出器１２０Ａ、第２のしきい値検出器１２０Ｂ、および、論理ゲート１２８を備える場合がある。論理ゲート１２８は、「ＡＮＤ」ゲートまたは「ＯＲ」ゲートを備える場合がある。第１の合成器信号および第２の合成器信号をラッチするために、フリップ−フロップがある場合がある。別の実施形態では、論理ゲート１２８は、単一の「ＡＮＤ」または「ＯＲ」ゲートの代わりに、複数の「ＡＮＤ」ゲートおよび／または「ＯＲ」ゲートを備える場合がある。第１のしきい値検出器１２０Ａは、オーディオサンプルを格納するために、メモリバッファ１２４Ａを備える場合がある。一実施形態では、オーディオサンプルは合計される場合があり、結果として生じる合計は、第１の合計しきい値に対して比較される場合がある。結果として生じる合計が第１の合計しきい値より大きい場合、しきい値処理された（thresholded）信号（第１の合成器信号）は、論理ゲート１２８へ送信される場合がある。別の実施形態では、メモリバッファ１２４Ａの第１のセグメント内のオーディオサンプルは、メモリバッファ１２４Ａの第２のセグメント内のオーディオサンプルと相関している場合がある。例えば、メモリバッファ１２４Ａの第１のセグメントは、最後のＭ個のオーディオサンプルを格納する場合がある。メモリバッファ１２４Ａの第１のセグメントが及ぶ場合のある時間の長さは、最大２０ミリ秒（ｍｓ）である。新しいオーディオサンプルがＡＤＣ８６Ａによって発生されるとき、これらの新しいオーディオサンプルは、メモリバッファ１２４Ａの第１のセグメント内の最後のＭ個のオーディオサンプルと相関している場合がある。結果として生じる相関は、第１の相関しきい値に対して比較される場合がある。結果として生じる相関が第１の相関しきい値より大きい場合、しきい値処理された信号（第１の合成器信号）は、論理ゲート１２８へ送信される場合がある。メモリバッファ１２４Ａは、２つのセグメントを超えて複数のセグメントに及ぶオーディオサンプルを格納する場合がある。一実施形態では、第１の合計しきい値および／または第１の相関しきい値は、経験的に決定される場合がある。第１の合計しきい値および／または第１の相関しきい値は、設定可能である場合がある。同様に、第２のしきい値検出器１２０Ｂは、第１のしきい値検出器１２０Ａのものについて記載された方法と同じ方法で、オーディオサンプルを格納するために、メモリバッファ１２４Ｂを備える場合がある。第２のしきい値検出器１２０Ｂの一実施形態では、結果として生じる、メモリバッファ１２４Ｂに格納されたオーディオサンプルの総和が、第２の総和しきい値より大きい場合、しきい値処理された信号（第２の合成器信号）は、論理ゲート１２８へ送信される場合がある。第２のしきい値検出器１２０Ｂの別の実施形態では、メモリバッファ１２４Ｂの第１のセグメント内に格納されたオーディオサンプルと相関している���しいオーディオサンプルの、結果として生じる相関が、第２の相関しきい値より大きい場合、しきい値処理された信号（第２の合成器信号）は、論理ゲート１２８へ送信される場合がある。別々のしきい値がある場合があり、別々のしきい値もまた、第１のしきい値検出器１２０Ａと第２のしきい値検出器１２０Ｂの間で設定可能である場合がある。すなわち、第２の合計しきい値および第２の相関しきい値はそれぞれ、第１の合計しきい値および第１の相関しきい値とは異なる値を有する場合がある。異なるしきい値の１つの理由は、第２のマイクロフォン８２Ｂの位置が第１のマイクロフォン８２Ａの位置から遠く離れて位置する（例えば、図１５Ａ、図１５Ｂ、図１６Ａ、図１６Ｂ、図１７Ａ、図１７Ｂを参照）場合があることである。異なる実施形態では、しきい値検出器１２０Ａ、１２０Ｂは、アナログである場合があり、オーディオサンプルを格納するためにメモリバッファを含まない場合がある。しきい値検出器がアナログであるような実施形態では、側音フィードバック通知器１０２は論理ゲート１２８を含まない。アナログ波形における突然の変動のために考慮に入れるための、側音フィードバック通知器に含まれる他のアナログ成分がある場合があり、すなわち、これらのアナログ成分は、ヒステリシスの関数を実装する場合がある。加えて、アナログしきい値検出器は、シリコン制御整流器（ＳＣＲ）またはダイオードを備える場合があり、これらは共に、あるしきい値電圧が超えられる場合にのみ、オンになる（電流フローの増大）ことは、当業者にはよく理解されよう。使用されたダイオードまたはＳＣＲに基づいて、しきい値電圧は、すでに予め決定されている場合がある。ダイオードまたはＳＣＲはまた、しきい値電圧を設定するために、バイアスされる場合もある。
【００３０】
通知デバイス１３６は、フィードバック信号をユーザに提供するために、ＤＡＣ１３０へ送信される通知信号１２９に基づく。通知デバイス１３６は、スピーカ、ディスプレイ、発光ダイオード、バイブレータ、または、いずれかの類似のタイプのデバイスである場合がある。これのデバイスのうちどれが通知デバイス１３６のために使用されるかに応じて、ユーザへのフィードバック信号は、可聴信号（例えば、通知デバイス１３６がスピーカである場合）、画像信号（例えば、通知デバイス１３６がディスプレイまたは発光ダイオード（ＬＥＤ）である場合）、および、触覚信号（ユーザが触れることによって検知される信号、例えば、通知デバイス１３６がバイブレータである場合）のうち、１つである場合がある。通信デバイスは、通知信号１２９の異なる値を通知デバイス１３６へ変換するために、テーブルまたはマップを含む場合のある、デバイスドライバを有する場合がある。一実施形態では、通知信号１２９が低い場合、通知デバイス１３６は、より弱いフィードバック信号を発生する場合がある。通知信号１２９が増大するにつれて、通知デバイス１３６は、より強いフィードバック信号を発生する場合がある。一例として、ＬＥＤは、通知信号１２９が低いとき、薄暗い（より弱いフィードバック信号）場合があり、通知信号１２９の値が増大中であるとき、明るさを増す（より強いフィードバック信号）場合がある。別の例として、スピーカは、通知信号１２９が低いとき、低い（より弱いフィードバック信号）音（例えば、ビープ音、ブザー、トーン、または、通知信号が低いことを示すフレーズ）を再生する場合があり、音を増大する（より強いフィードバック信号）場合がある。別の例では、ディスプレイは、通知信号１２９が低いことを示すフレーズをディスプレイの画面上に表示するか、または、通知信号１２９が増大中である（または高い）ことを示す場合がある）。さらにもう１つの例では、ディスプレイの画面は、通知信号１２９の相対値をユーザに示す場合がある。そのため、ユーザは、通知信号１２９に比例する値に基づく、フィードバック信号を検知する場合がある。
【００３１】
図７は、図５Ａ、図５Ｂおよび図６について論じられた機能性および様々な実施形態を組み合わせ、本明細書で開示かつ想定された方法を実装し、装置／デバイスおよび回路を備える場合のある、側音フィードバック通知器９０に含まれる信号合成器１０２の１つの構成を例示するブロック図である。図７に例示するように、通信デバイス内に複数の通知デバイスがある場合がある。例えば、「１３７」とラベル付けされた通知デバイス１３７（通知デバイス１）は、加算器７０によりボコーダ復号器モジュール６６の出力に加算される通知信号９４に基づいて、ユーザへのフィードバック信号を発生する場合がある。「１３８」とラベル付けされた通知デバイス１３８（通知デバイス２）は、論理ゲート１２８によって、通知信号１２９出力に基づいて、ユーザへのフィードバック信号を発生する場合がある。
【００３２】
図３、図４、図５Ａ、図５Ｂ、図６および図７についての様々な実施形態、構成および機能性の考察によって例示されたように、側音フィードバック通知器は、通知信号を発生するために、第１のマイクロフォンに直接的または間接的に接続され、かつ、第２のマイクロフォンに直接的または間接的に接続される場合があり、通知信号は、第１の入力オーディオ信号および第２の入力オーディオ信号の合成に基づき、これが開示されることは、当業者には理解されよう。通知デバイスは、通知信号に基づいて、フィードバック信号をユーザに提供するために、側音フィードバック通知器に直接的または間接的に接続される場合がある。第１の合成器信号および第２の合成器信号の合成は、ディジタル領域内またはアナログ領域内で行われる場合がある。第１の合成器信号および第２の合成器信号は、利得調整器によって調整される場合がある。「第１の入力オーディオ信号および第２の入力オーディオ信号に基づく」という句は、側音フィードバック通知器の入力信号がディジタル信号またはアナログ信号である実施形態および構成を備える。第１の入力オーディオ信号および第２の入力オーディオ信号に基づく、第１の合成器信号および第２の合成器信号を合成するように適合された、信号合成器を備える通信デバイスは、第１の合成器信号および第２の合成器信号がディジタル信号またはアナログ信号である実施形態および構成を含む。第１の合成器信号および第２の合成器信号がディジタル信号であるか、アナログ信号であるかにかかわらず、これらの信号（第１の合成器信号および第２の合成器信号）のうち少なくとも１つがしきい値を超える通信デバイスが開示される。
【００３３】
また、以前に記載または想定された利得調整器１０４Ａ、１０４Ｂ、１０５Ａ、１０５Ｂ、１０７Ａ、１０７Ｂ、１１５、１０６Ａ、１０６Ｂ、および、加算器１１０、１１１は、図示された信号合成器１０２のための例示的境界の外側である、側音フィードバック通知器９０内に位置する場合がある。
【００３４】
図８は、本明細書で開示かつ想定された方法を実装し、装置／デバイスおよび回路を備えるための、側音フィードバック通知器９０を含む通信デバイスの１つの構成を例示するブロック図である。ユーザは、例えば、ディスプレイ１４０Ａとインタラクトすることによって、側音フィードバック通知器９０の利得を設定する場合がある。図８に例示するように、メモリ４８はプロセッサ５２に結合され、また、ディスプレイ１４０Ａにも結合される。一実施形態では、ユーザは、側音フィードバック通知器の構成を表現するアイコンの画面ショットを見る場合がある。例えば、第１の利得調整器１４６Ａのアイコンに結合された第１のマイクロフォン１４２Ａのアイコン、および、第２の利得調整器１４６Ｂのアイコンに結合された第２のマイクロフォン１４２Ｂのアイコンは、側音フィードバック通知器９０によって行われる場合のある機能「合成」を例示するアイコンに結合される場合がある。「合成」アイコンは、第３の利得調整器アイコン１５０に結合される場合がある。加算器アイコン１５６は、第４の利得調整器１５４アイコンの出力、および、第３の利得調整器アイコン１５０の出力を接続する。加算器アイコン１５６の出力は、スピーカアイコン１６０に結合される。ディスプレイ１４０Ａは、タッチスクリーンを含む場合がある。タッチスクリーン上で利得調整器アイコンに触れた後、ユーザは所望の利得値を入力する場合がある。所望の利得値は次いで、メモリ４８内の設定テーブル１６４に格納される。これらの所望の利得値は、「ユーザにより選択された利得」１６６Ａ、１６６Ｂ、１６６Ｃ、１６６Ｄとして示される。ユーザにより選択された利得１  １６６Ａ、ユーザにより選択された利得２  １６６Ｂ、および、ユーザにより選択された利得３  １６６Ｃは次いで、側音フィードバック通知器９０内に位置する利得調整器上で利得を設定するために使用される場合がある。通知信号が可聴スピーチ側音信号である場合、ボコーダ復号器モジュール６６の出力は、設定可能な利得調整器１１８に結合される場合がある。ユーザにより選択された利得４  １６６Ｄは、側音フィードバック通知器９０の外側で利得調整器１１８を設定するために使用される場合がある。図８はまた、少なくとも２つの通知デバイスを有する通信デバイスをも例示する。スピーカ１１６およびディスプレイ１４０Ａは、側音フィードバック通知器に直接的または間接的に接続された、動作中に通知信号に基づいてフィードバック信号をユーザに提供する通知デバイスである。
【００３５】
図９は、本明細書で開示かつ想定された方法を実装し、装置／デバイスおよび回路を備えるための、側音フィードバック通知器９０を含む通信デバイスを設定するために、ユーザによって使用される場合のある、ディスプレイ１４０Ｂの１つの構成を例示するブロック図である。ディスプレイ１４０Ｂは、側音フィードバック通知デバイスタイプを選択するようにユーザに示すためのテキスト１７０を有する場合がある。テキスト１７０は、ユーザが選択アイコンに触れることによって、通知デバイスタイプを選択するための、視覚的キューとしての機能を果たす。選択アイコンは、図９に例示するように、四角形のアイコン１７４Ａ、１７６Ａ、１７８Ａ、１８０Ａである場合がある。選択アイコンはまた、放射状のボタン（図示せず）などである場合もある。通知デバイスタイプのアイコン１７４Ｂ、１７６Ｂ、１７８Ｂ、１８０Ｂはまた、例えば、バイブレータ１７４Ｂ、ＬＥＤ１７６Ｂ、ディスプレイ１７８Ｂ、または、スピーカ１８０Ｂを例示するために表示される場合がある。また、通知デバイスタイプの名前のアイコンは、表示されたバイブレータ１７４Ｃ、ＬＥＤ１７６Ｃ、ディスプレイ１７８Ｃ、および、スピーカ１８０Ｃである場合がある。そのため、選択アイコンを通じて、ユーザは、側音フィードバック通知器９０によって発生された通知信号に基づいたフィードバック信号を自分が受信する方法を設定する場合がある。
【００３６】
図１０は、本明細書で開示かつ想定された方法を実装し、装置／デバイスおよび回路を備えるための、側音フィードバック通知器９０を含む通信デバイス２０Ｃの１つの構成を例示するブロック図である。図１０に例示された構成の一実施形態では、風雑音検出器１８４が側音フィードバック通知器９０に結合される。風雑音検出器１８４は、例えば、「Ｓｙｓｔｅｍｓ  ａｎｄ  ｍｅｔｈｏｄｓ  ｆｏｒ  ｄｅｔｅｃｔｉｎｇ  ｗｉｎｄ  ｎｏｉｓｅ  ｕｓｉｎｇ  ｍｕｌｔｉｐｌｅ  ａｕｄｉｏ  ｓｏｕｒｃｅｓ」（Ｒａｍａｋｒｉｓｈｎａｎ他）という名称の米国特許出願第１２／３２３，１８６号、代理人整理番号第０８０３２６号に開示されたような技術に従って、風雑音が検出されたかどうかを示し、かつ／または、風雑音検出情報を含む（すなわち、単にブール値よりも多くの情報を含む場合がある）、風雑音検出（ＷＮＤ）信号２００を提供するように構成される場合がある。一実施形態では、第１のディジタル入力オーディオ信号８８Ａおよび第２のディジタル入力オーディオ信号８８Ｂは、風雑音検出器１８４を通じて修正されずに通過する場合がある。別の実施形態では、第１のディジタル入力オーディオ信号８８Ａおよび第２のディジタル入力オーディオ信号８８Ｂは、風雑音検出器１８４内の少なくとも１つのフィルタによってフィルタされる場合がある。ＷＮＤ信号２００は、任意で側音フィードバック通知器９０に提供される場合がある。
【００３７】
側音フィードバック通知器出力９７Ａ、９７Ｂの２つ（第１および第２の入力オーディオ信号８４Ａ、８４Ｂに基づく場合がある）は、音源分離モジュール９８へ送信される場合がある。一実施形態では、音源分離モジュール１８８は、自動音量コントローラ（ＡＶＣ）１８８に結合される場合がある。ＡＶＣ１８８は、ＡＶＣ１８８へのオーディオ信号入力のオーディオ音量レベルを自動的に調整することによって、動作する。多くの場合、ＡＶＣ１８８は、ボコーダ符号器４４によって符号化中のオーディオ信号の飽和を防止するために、オーディオ音量レベルを調整する。ＡＶＣ１８８は、オーディオ音量レベルＡＶＬ信号１９８を側音フィードバック通知器９０へ提供する場合がある。
【００３８】
一実施形態では、音源分離モジュールは、出力音声信号のための最良の音質またはオーディオ品質を達成するために、動的に（ａ）２つ以上のディジタル化された音声信号の間で選択し、かつ／または、（ｂ）１つまたは複数の要素に基づいて、動的に得られた重みに従って、２つ以上のディジタル化された音声信号を合成する、アルゴリズムを実装する、信号選択および／または合成モジュール（図示せず）を含む場合がある。このようなアルゴリズムは、例えば、「Ｉｍｐｒｏｖｉｎｇ  ｓｏｕｎｄ  ｑｕａｌｉｔｙ  ｂｙ  ｉｎｔｅｌｌｉｇｅｎｔｌｙ  ｓｅｌｅｃｔｉｎｇ  ｂｅｔｗｅｅｎ  ｓｉｇｎａｌｓ  ｆｒｏｍ  ａ  ｐｌｕｒａｌｉｔｙ  ｏｆ  ｍｉｃｒｏｐｈｏｎｅｓ」（Ｗａｎｇ他）という名称の米国特許出願第１２／０２２，０５２号、代理人整理番号第０７１４７２号に開示されている。このアルゴリズムは、複数のマイクロフォンからの信号の間で選択することを可能にし、そのため、「１次マイク」（ＰＭ）１９６信号を側音フィードバック通知器９０に提供する場合がある。ＰＭ信号１９６は、例えば、どのマイクロフォン（マイク＃１、マイク＃２、．．．マイク＃Ｎ）が１次マイクロフォンであるかを示す場合がある。
【００３９】
別の実施形態では、エコーキャンセラ９９Ａ、９９Ｂのうち１つは、エコーリターンロスエンハンスメント（echo return loss enhancement）（ＥＲＬＥ）信号１９４を提供する場合がある。ＥＲＬＥ信号１９４は、同じエコーキャンセラ（ＥＣ１  ９９ＡまたはＥＣ２  ９９Ｂ）によって、側音フィードバック通知器９０に提供される場合がある。代替実施形態では、ＥＲＬＥ信号１９４は、どのマイクロフォンが１次マイクロフォンであるかに基づいて、側音フィードバック通知器９０に提供される場合がある。他の図の考察において前述したように、ボコーダ復号器モジュール６６の出力は、加算器７０によって通知信号９４に加算される場合がある。加算器７０の出力は次いで、ディジタル−アナログ−コンバータ７８によってディジタル信号からアナログ信号に変換され、通知デバイス９６から再生される。
【００４０】
図１１は、本明細書で開示かつ想定された方法を実装し、装置／デバイスおよび回路を備える場合のある、図１０に例示された通信デバイス２０Ｃに含まれる側音フィードバック通知器９０の１つの構成を例示するブロック図である。図１１に例示された構成では、モードコントローラ２０４は、入力として、以下の信号、すなわち、ＥＲＬＥ信号１９４、ＰＭ信号１９６、ＡＶＬ信号１９８およびＷＮＤ信号２００のいずれかを得る場合がある。よって、モードコントローラ出力は、風雑音検出値、エンハンスメントリターンロスエコー（enhancement return loss echo）値、および、自動音量制御レベル値のうち、いずれか１つに基づく。モードコントローラ出力は、モードコントローラ（ＭＣ）信号である場合がある。モードコントローラ出力は、通信デバイス上のマイクロフォンが動作中に、２次マイクロフォンから１次マイクロフォンへと指定を切り替えたかどうかに基づく場合がある。切り替えられた指定は、ＰＭ信号１９６によって提供される場合がある。
【００４１】
図１１に例示された構成では、モードコントローラ２０４は信号合成器１０２に結合される。モードコントローラ２０４は、側音フィードバック通知器９０に関連付けられた他のコンポーネントを制御するために使用される場合のある、（図１３もしくは図１４、または両方に例示するような）制御論理を実装する場合がある。これらの図に例示された構成では、これらのコンポーネントは、側音フィードバック通知器９０の内部に位置する。しかし、モードコントローラ２０４によって制御される場合のあるコンポーネントのいくつかは、側音フィードバック通知器９０の外側に位置する場合があることは、当業者には理解されよう。少なくとも１つのモード制御（ＭＣ）信号２０６は、信号合成器１０２の内部のコンポーネントを制御するために、信号合成器１０２に提供される場合がある。モード制御信号（ＭＣ）は、信号合成器１０２を通過する場合がある。一例として、「２０８Ａ」（ＭＣ１）および「２０８Ｂ」（ＭＣ２）とラベル付けされた２つのモード制御信号２０８Ａ、２０８Ｂ（ＭＣ１、ＭＣ２）は、信号合成器１０２を通じて、「１０４Ａ」および「１０４Ｂ」とラベル付けされた利得調整器１０４Ａ、１０４Ｂに提供される場合がある。利得調整器１０４Ａ、１０４Ｂは、モードコントローラ２０４内で実装されたモード制御論理の結果として、第１の合成器信号および第２の合成器信号に加えられた利得を、動的に調整する場合がある。代替実施形態では、利得調整器「１０４Ａ」および「１０４Ｂ」が、第１の合成器信号および第２の合成器信号に加えられた利得を動的に調整することができるように、これらの２つのモード制御信号「ＭＣ１およびＭＣ２は、利得調整器「１０４Ａ」および「１０４Ｂ」に直接提供される場合がある。
【００４２】
図１２は、本明細書で開示かつ想定された方法を実装し、装置／デバイスおよび回路を備える場合のある、図１０に例示された通信デバイス２０Ｃに含まれる側音フィードバック通知器９０の１つの構成を例示するブロック図である。図１２に例示された構成では、信号合成器１０２は、図７に例示されたコンポーネントを含む。しかし、図１２に例示された信号合成器１０２は、本開示で記載または想定された信号合成器内のコンポーネントのいずれかを含む場合があることは、当業者には理解されよう。図１２に例示された構成では、モードコントローラ２０４は、「２０８Ｃ」（ＭＣ３）および「２０８Ｄ」（ＭＣ４）とラベル付けされた、２つのモード制御信号２０８Ｃ、２０８Ｄ（ＭＣ３、ＭＣ４）を、「１０６Ａ」、「１０６Ｂ」とラベル付けされた利得調整器１０６Ａ、１０６Ｂに提供する場合がある。ＭＣ１およびＭＣ２は、利得調整器「１０６Ａ」および「１０６Ｂ」がどのように、第１の合成器信号および第２の合成器信号に加えられた利得を動的に調整するかを、制御する。利得調整器１１４は、第１の合成器信号および第２の合成器信号の合成によって発生された合成信号に加えられたその利得を、動的に調整する場合がある。側音フィードバック通知器９０の内部に位置する利得調整器の（「設定可能」な）利得は、（図８および図９で論じたように、ユーザによって設定される場合があることを、当業者には理解されたい。いくつかの構成では、ユーザによって設定中である利得調整器の（「設定可能」な）利得は、側音フィードバック通知器９０の外側に位置する場合がある。利得調整器の設定可能な利得はまた、図１１および／または図１２に記載したように、モードコントローラ出力によって動的に設定される場合もある。設定可能な利得がユーザによって設定されるか、モードコントローラによって動的に設定されるかにかかわらず、設定可能な利得は、時間の関数である場合があることがわかる。加えて、前述のように、利得調整器の設定可能な利得は、独立して設定される場合がある。利得調整器（開示または想定された利得調整器のいずれか）の利得は、較正中、音声通信中、または両方で設定可能である場合があることに留意されたい。
【００４３】
図１３は、本明細書で開示かつ想定された方法を実装し、装置／デバイスおよび回路を備える、側音フィードバック通知器９０に関連付けられたコンポーネントを制御するために使用された、制御論理の例示的流れ図を例示する。例示的流れ図は、風雑音が存在することを、風雑音信号２００が示したかどうかを、モードコントローラ２０４がチェックする場合があること２２０を、例示する。検出された風雑音がない場合（ＮＯ）、合成された信号の振幅レベルに影響を及ぼす利得調整器１０６Ａ（ＳＣＧＡ1）、１０６（ＳＣＧＡ2）および１１４（ＳＣＧＡ3）の利得は、予め設定されたものと同じまま保たれる場合がある２２８。検出された風雑音がある場合（ＹＥＳ）、ＡＶＣレベルがチェックされる場合がある２３２。ＡＶＣレベル（ＡＶＬ）がしきい値（Ｔｈ２）を超える場合、合成された信号の利得は減少されるべきである２３６。利得は、例えば、利得調整器１０６Ａ（ＳＣＧＡ1）、１０６（ＳＣＧＡ2）および／または１１４（ＳＣＧＡ3）のいずれかの利得を減少させることによって、減少される場合がある２３６。ＡＶＣレベルがしきい値を超えない場合、合成された信号の利得は増加される場合がある２３８。利得は、例えば、利得調整器１０６Ａ（ＳＣＧＡ1）、１０６（ＳＣＧＡ2）および／または１１４（ＳＣＧＡ3）のいずれかの利得を増加させることによって、増加される場合がある２３８。モードコントローラ２０４はまた、ＥＲＬＥがしきい値（Ｔｈ１）を超えるかどうかをチェックする場合がある２２４。しきい値が超えられる場合（ＹＥＳ）、合成された信号の振幅レベルに影響を及ぼす利得調整器利得設定は、予め設定されたものと同じまま保たれる場合がある２２８。しきい値が超えられない場合（ＮＯ）、合成された信号の利得は増加される場合がある２８。利得の増加２３８、または、利得の減少２３６がなければ、ユーザは、マイクロフォンの１つにおける風のために、自分のスピーチ信号がどれほどひずんでいるかに気付かない場合がある。
【００４４】
図１４は、本明細書で開示かつ想定された方法を実装し、装置／デバイスおよび回路を備える、側音フィードバック通知器９０に関連付けられたコンポーネントを制御するために使用された、制御論理の例示的流れ図を例示する。例示的流れ図は、モードコントローラ２０４が、１次マイクロフォンの指定が切り替えられたかどうかをチェックする場合があること２４０を例示する。ＮＯの場合、利得調整器によって使用された利得の値を切り替えない２４６。ＹＥＳの場合、利得調整器によって使用された利得の値を切り替える２４２。一実施形態では、「ボックス２４８」もまた実装される場合がある。合成された信号のエネルギーは、１次オーディオ信号エネルギーおよび２次オーディオ信号エネルギーの合計に実質的に等しい場合がある２４８。例えば、マイクロフォン１（マイク１）が１次マイクロフォンとして指定され、マイクロフォン２（マイク２）が２次マイクロフォンとして指定される場合、１次オーディオ信号エネルギーは、音源分離器モジュール９８より前のマイク１またはマイク２に関連付けられたディジタル信号またはアナログ信号のいずれかのエネルギーである場合がある。例えば、８４Ａまたは１１７Ａとラベル付けされたアナログ信号のエネルギーは、１次オーディオ信号エネルギーである場合がある。別の例では、８８Ａとラベル付けされたディジタル信号、または、第１の合成器信号（例えば、図５Ａにおける）のエネルギーは、１次オーディオ信号エネルギーである場合がある。同様に、２次オーディオ信号エネルギーは、８４Ｂ、１１７Ｂ、８８Ｂとラベル付けされた信号、または、第２の合成器信号（例えば、図５Ａにおける）のエネルギーである場合がある。反対に、マイク２が１次マイクロフォンとして指定される場合、１次オーディオ信号エネルギーは、８４Ｂ、１１７Ｂ、８８Ｂとラベル付けされた信号、または、第２の合成器信号（例えば、図５Ａにおける）のエネルギーである場合があり、マイク１が２次マイクロフォンとして指定される場合、２次オーディオ信号エネルギーは、８４Ａ、１１７Ａ、８８Ａとラベル付けされた信号、または、第１の合成器信号（例えば、図５Ａにおける）のエネルギーである場合がある。合成された信号のエネルギーは、１０６Ａ、１０６Ｂまたは１１４とラベル付けされた利得調整器のいずれか１つを調整することによって、調整される場合がある。そのため、利得の組み合わせは、合成された信号のエネルギーが１次オーディオ信号エネルギーおよび２次オーディオ信号エネルギーの合計に実質的に等しくなるように、設定される場合がある。また、モードコントローラ２０４は、（図１３もしくは図１４、または両方に例示するような）制御論理を実装する場合があることにも留意されたい。
【００４５】
図１５Ａ、図１５Ｂ、図１６Ａ、図１６Ｂ、図１７Ａおよび図１７Ｂに例示された通信デバイスは、本明細書で開示かつ想定された方法を実装し、装置／デバイスおよび回路を備える場合がある。通信デバイスはそれぞれ、第１のマイクロフォンに直接的または間接的に接続され、かつ、第２のマイクロフォンに直接的または間接的に接続された、通知信号を発生するための信号フィードバック通知器を有する場合があり、通知信号は、第１の入力オーディオ信号および第２の入力オーディオ信号の合成に基づいている。これらの通信デバイスはそれぞれ、側音フィードバック通知器に直接的または間接的に接続された、通知信号に基づいてフィードバック信号をユーザに提供するための通知デバイスを有する場合がある。これらの通信デバイスはそれぞれ、第１の入力オーディオ信号を発生するための第１のマイクロフォン、および、第２の入力オーディオ信号を発生するための第２のマイクロフォンを有する場合がある。これらの通信デバイス内のマイクロフォンの位置は、いくつかの場所にある場合がある。
【００４６】
図１５Ａは、通信デバイスの正面図２５０Ａを例示する。円（「○」）およびマーク（「×」）による記号は、マイクロフォンの可能な位置を表す。多数の可能な位置がある場合があり、３つ以上のマイクロフォンがある場合がある。
【００４７】
図１５Ｂは、通信デバイスの正面図２５０Ｂを例示する。円（「○」）およびマーク（「×」）による記号は、マイクロフォンの可能な位置を表す。多数の可能な位置がある場合があり、３つ以上のマイクロフォンがある場合がある。
【００４８】
図１６Ａは、通信デバイスの正面図２６０Ａを例示する。円（「○」）およびマーク（「×」）による記号は、マイクロフォンの可能な位置を表す。多数の可能な位置がある場合があり、３つ以上のマイクロフォンがある場合がある。
【００４９】
図１６Ｂは、通信デバイスの正面図２６０Ｂを例示する。円（「○」）およびマーク（「×」）による記号は、マイクロフォンの可能な位置を表す。多数の可能な位置がある場合があり、３つ以上のマイクロフォンがある場合がある。
【００５０】
図１７Ａは、通信デバイスの正面図２７０Ａを例示する。円（「○」）およびマーク（「×」）による記号は、マイクロフォンの可能な位置を表す。多数の可能な位置がある場合があり、３つ以上のマイクロフォンがある場合がある。
【００５１】
図１７Ｂは、通信デバイスの正面図２７０Ｂを例示する。円（「○」）およびマーク（「×」）による記号は、マイクロフォンの可能な位置を表す。多数の可能な位置がある場合があり、３つ以上のマイクロフォンがある場合がある。
【００５２】
本明細書に開示かつ想定された方法および技術を実装する通信デバイスは、ハンドセットまたはヘッドセットである場合がある。ハンドセットには、携帯電話、ＰＤＡおよびスマートフォンが含まれる。ネットブックまたはラップトップのような通信デバイスもまた、「ボコーダ」を含む場合があることが想定される。当業者は、ハンドセットにおける音声圧縮オーディオコーデックを「ボコーダ」と称し、ヘッドセットにおいて見られるオーディオコーデックを「コーデック」と称する場合がある。「コーデック」は、「コーデック符号器」および「コーデック復号器」を有する。「コーデック符号器」および「コーデック復号器」という語は、通信デバイスがハンドセットではなく、ヘッドセットであるとき、「ボコーダ符号器」および「ボコーダ復号器」の代わりに使用される場合がある。ヘッドセットコーデックの一例は、サブバンドコーデック（ＳＢＣ）である場合がある。
【００５３】
第１のディジタル入力オーディオ信号８８Ａ、第２のディジタル入力オーディオ信号８８Ｂ、第１の入力オーディオ信号８４Ａ、第２の入力オーディオ信号８４Ｂは、それぞれオーディオ信号であることにも留意されたい。よって、文脈（すなわち、何の構成または実施形態か）に応じて、第１の入力オーディオ信号は、第１のディジタル入力オーディオ信号８８Ａ、または、第１の入力オーディオ信号８４Ａである場合がある。同様に、文脈（すなわち、何の構成または実施形態か）に応じて、第２の入力オーディオ信号は、第２のディジタル入力オーディオ信号８８Ｂ、または、第２の入力オーディオ信号８４Ｂである場合がある。
【００５４】
上記では、参照番号は時として、様々な語に関連して使用された。ある語がある参照番号に関連して使用される場合には、これは、１つまたは複数の図に示される特定の要素を指すことが意味される。ある語が参照番号なしに使用される場合には、これは、いかなる特定の図にも限定されずに、その語を一般的に指すことが意味される。
【００５５】
「プロセッサ」という語は、汎用プロセッサ、中央制御装置（ＣＰＵ）、マイクロプロセッサ、ディジタル信号プロセッサ（ＤＳＰ）、コントローラ、マイクロコントローラ、ステートマシンなどを包含するように、広く解釈されるべきである。いくつかの状況下では、「プロセッサ」は、特定用途向け集積回路（ＡＳＩＣ）、プログラマブルロジックデバイス、（ＰＬＤ）、フィールドプログラマブルゲートアレー（ＦＰＧＡ）などを指す場合がある。「プロセッサ」という語は、例えば、ＤＳＰおよびマイクロプロセッサの組み合わせ、複数のマイクロプロセッサ、ＤＳＰコアを伴う１つまたは複数のマイクロプロセッサ、または、他のいかなるこのような構成など、処理デバイスの組み合わせを指す場合がある。
【００５６】
「メモリ」という語は、電子情報を格納可能ないかなる電子コンポーネントをも包含するように、広く解釈されるべきである。メモリという語は、ランダムアクセスメモリ（ＲＡＭ）、読み出し専用メモリ（ＲＯＭ）、不揮発性ランダムアクセスメモリ（ＮＶＲＡＭ）、プログラマブル読み出し専用メモリ（ＰＲＯＭ）、消去可能プログラマブル読み出し専用メモリ（ＥＰＲＯＭ）、電気的消去可能ＰＲＯＭ（ＥＥＰＲＯＭ）、フラッシュメモリ、磁気または光データストレージ、レジスタ、その他など、様々なタイプのプロセッサ可読媒体を指す場合がある。メモリは、プロセッサがそのメモリから情報を読み出し、かつ／または、そのメモリに情報を書き込むことができる場合、プロセッサと電子通信すると言われる。プロセッサに一体化したメモリは、プロセッサと電子通信する。
【００５７】
「命令」および「コード」という語は、いかなるタイプのコンピュータ可読ステートメント（複数可）をも含むように、広く解釈されるべきである。例えば、「命令」および「コード」という語は、１つまたは複数のプログラム、ルーチン、サブルーチン、関数、プロシージャなどを指す場合がある。「命令」および「コード」は、単一のコンピュータ可読ステートメント、または、多数のコンピュータ可読ステートメントを備えてもよい。
【００５８】
本明細書に記載された機能は、ハードウェア、ソフトウェア、ファームウェア、または、それらのいかなる組み合わせにおいて実装されてもよい。ソフトウェアにおいて実装される場合、これらの機能は、コンピュータ可読媒体上の１つまたは複数の命令として格納されてもよい。「コンピュータ可読媒体」という語は、コンピュータによってアクセスすることができる、いかなる使用可能な媒体をも指す。例として、限定ではなく、コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形式で所望のプログラムコードを搬送または格納するために使用することができ、かつ、コンピュータによってアクセスすることができる、他のいかなる媒体をも備える場合がある。本明細書で使用されるとき、ディスク（disk）およびディスク（disc）には、コンパクトディスク（ＣＤ）、レーザディスク、光ディスク、ディジタル多用途ディスク（ＤＶＤ）、フロッピー（登録商標）ディスク、および、ブルーレイ（登録商標）ディスクが含まれ、ただし、ディスク（disk）は通常、磁気的にデータを再生するが、ディスク（disc）は、レーザにより光学的にデータを再生する。
【００５９】
ソフトウェアまたは命令はまた、伝送媒体を介して送信される場合もある。例えば、同軸ケーブル、光ファイバケーブル、ツイストペア、ディジタル加入者線（ＤＳＬ）、または、赤外線、無線およびマイクロ波など、無線技術を使用して、ウェブサイト、サーバ、または他のリモートソースから、ソフトウェアが送信される場合、同軸ケーブル、光ファイバケーブル、ツイストペア、ＤＳＬ、または、赤外線、無線およびマイクロ波など、無線技術は、伝送媒体の定義に含まれる。
【００６０】
本明細書で開示された方法は、記載された方法を達成するための１つまたは複数のステップまたは動作を備える。この方法ステップおよび／または動作は、特許請求の範囲から逸脱することなく、互いに入れ替え可能であってもよい。すなわち、ステップまたは動作の特定の順序が、記載されている方法の適切な動作のために必要とされない限り、特定のステップおよび／または動作の順序および／または使用は、特許請求の範囲から逸脱することなく、修正されてもよい。
【００６１】
前述のように、特許請求の範囲は、上記で例示された正確な構成およびコンポーネントに限定されないことを理解されたい。様々な修正、変更および変形形態は、特許請求の範囲から逸脱することなく、本明細書に記載のシステム、方法、および、装置／デバイスの配置、動作および詳細において行われてもよい。
【００６２】
上記の開示された実施形態の記載は、添付の特許請求の範囲によって定義されるものを当業者が実施または使用できるようにするために提供される。以下の特許請求の範囲は、開示された実施形態に限定されるように意図されない。他の実施形態および修正は、これらの教示に鑑みて、当業者には容易に想起されよう。したがって、以下の特許請求の範囲は、上記の明細書および添付の図面と共に考察されるとき、すべてのこのような実施形態および修正を包含するように意図される。
【図１】
2011528545.tif 000003
【図２】
2011528545.tif 000004
【図３】
2011528545.tif 000005
【図４】
2011528545.tif 000006
【図５Ａ】
2011528545.tif 000007
【図５Ｂ】
2011528545.tif 000008
【図６】
2011528545.tif 000009
【図７】
2011528545.tif 000010
【図８】
2011528545.tif 000011
【図９】
2011528545.tif 000012
【図１０】
2011528545.tif 000013
【図１１】
2011528545.tif 000014
【図１２】
2011528545.tif 000015
【図１３】
2011528545.tif 000016
【図１４】
2011528545.tif 000017
【図１５Ａ】
2011528545.tif 000018
【図１５Ｂ】
2011528545.tif 000019
【図１６Ａ】
2011528545.tif 000020
【図１６Ｂ】
2011528545.tif 000021
【図１７Ａ】
2011528545.tif 000022
【図１７Ｂ】
2011528545.tif 000023
【国際調査報告】
2011528545.tif 000024
2011528545.tif 000025
2011528545.tif 000026